(57)【特許請求の範囲】
【請求項１】
外部からのコマンドを受信するための受信手段と、
前記受信手段に接続され、前記受信手段が受信する、コンテンツの記録の予約を指示する予約コマンドにしたがって、コンテンツの記録の予約情報を管理するための予約管理手段とを含むコンテンツ記録装置であって、
前記予約情報は、コンテンツ単位で、コンテンツの送信スケジュール及び伝送媒体を特定するコンテンツ情報と、予約コマンドの受信回数とを含み、
前記コンテンツ記録装置はさらに、
前記予約管理手段に接続され、前記予約管理手段によりカウントされた予約コマンドの受信回数が１以上のコンテンツについて、前記コンテンツ情報によりスケジュールされた送信時間に到達したことに応答して、当該コンテンツを当該コンテンツのコンテンツ情報により特定される伝送媒体から受信し記録するためのコンテンツ記録手段を含む、コンテンツ記録装置。
【請求項２】
請求項１に記載のコンテンツ記録装置であって、さらに、前記コンテンツ記録手段及び前記予約管理手段に接続され、あるコンテンツの受信及び記録を前記コンテンツ記録手段が完了したことに応答して、当該コンテンツについて記録したことを示す情報と、記録されたコンテンツデータの所在情報とを、前記予約管理手段により管理されている予約情報と関係付けて記録し管理するための記録管理手段を含む、コンテンツ記録装置。
【請求項３】
請求項１に記載のコンテンツ記録装置であって、さらに、前記コンテンツ記録手段に接続され、あるコンテンツの受信及び記録を前記コンテンツ記録手段が完了したことに応答して、当該コンテンツを特定する情報と、記録されたコンテンツデータの所在情報と、前記予約管理手段において当該コンテンツについて管理されている予約コマンドの受信回数とを前記予約情報とは別の記録情報として管理するための記録管理手段を含む、コンテンツ記録装置。
【請求項４】
請求項１‐請求項３のいずれかに記載のコンテンツ記録装置であって、さらに、前記受信手段及び前記予約管理手段に接続され、前記受信手段が特定のコンテンツの記録の予約を取消すコマンドを受信したことに応答して、前記予約管理手段により管理されている予約情報のうち、当該コマンドにより特定されるコンテンツの予約コマンドの受信回数を減算するための予約取消手段を含む、コンテンツ記録装置。
【請求項５】
請求項２に記載のコンテンツ記録装置であって、さらに、前記受信手段及び前記予約管理手段に接続され、前記受信手段が特定のコンテンツのコンテンツデータを消去するコマンドを受信したことに応答して、前記予約管理手段により管理されている予約情報のうち、当該コマンドにより特定されるコンテンツの予約コマンドの受信回数を減算するための記録取消手段を含む、コンテンツ記録装置。
【請求項６】
請求項５に記載のコンテンツ記録装置であって、さらに、前記予約管理手段に接続され、前記予約管理手段により管理されている予約情報のうち、前記記録取消手段により減算された結果、予約コマンドの受信回数が０となった予約情報が発生したことに応答して、当該予約情報を前記予約管理手段から消去するための予約情報消去手段を含む、コンテンツ記録装置。
【請求項７】
請求項５又は請求項６に記載のコンテンツ記録装置であって、さらに、前記予約管理手段及び前記コンテンツ記録手段に接続され、前記予約管理手段により管理されている予約情報のうち、前記記録取消手段により減算された結果、予約コマンドの受信回数が０となった予約情報が発生したことに応答して当該予約情報に対応するコンテンツのコンテンツデータを前記コンテンツ記録手段から消去するためのコンテンツ消去手段を含む、コンテンツ記録装置。
【請求項８】
請求項２に記載のコンテンツ記録装置であって、さらに、前記受信手段及び前記記録管理手段に接続され、前記受信手段が特定のコンテンツのコンテンツデータを消去するコマンドを受信したことに応答して、前記記録管理手段により管理されている記録情報のうち、当該コマンドにより特定されるコンテンツの予約コマンドの受信回数を減算するための記録取消手段を含む、コンテンツ記録装置。
【請求項９】
請求項８に記載のコンテンツ記録装置であって、さらに、前記記録管理手段に接続され、前記記録管理手段により管理されている予約情報のうち、前記記録取消手段により減算された結果、予約コマンドの受信回数が０となった記録情報が発生したことに応答して、当該記録情報を前記記録管理手段から消去するための記録情報消去手段を含む、コンテンツ記録装置。
【請求項１０】
請求項８又は請求項９に記載のコンテンツ記録装置であって、さらに、前記記録管理手段及び前記コンテンツ記録手段に接続され、前記記録管理手段により管理されている記録情報のうち、前記記録取消手段により減算された結果、予約コマンドの受信回数が０となった記録情報が発生したことに応答して当該記録情報に対応するコンテンツのコンテンツデータを前記コンテンツ記録手段から消去するためのコンテンツ消去手段を含む、コンテンツ記録装置。
【請求項１１】
請求項１‐請求項１０のいずれかに記載のコンテンツ記録装置であって、さらに、前記受信手段が、コンテンツの識別情報を含む、コンテンツの再生要求を受信したことに応答して、前記コンテンツ記録手段から、当該再生要求中の前記識別情報により特定されるコンテンツデータを読出し、前記再生要求の送信元に送信するためのコンテンツデータ送信手段を含む、コンテンツ記録装置。
【請求項１２】
請求項１‐請求項１１のいずれかに記載のコンテンツ記録装置と、
所定の伝送媒体上で送信されるコンテンツに関する予約コマンドを生成し前記コンテンツ記録装置に送信するための予約入力装置とを含むコンテンツ記録システムであって、
前記予約入力装置は、
所定の伝送媒体上で送信されるコンテンツについて、当該コンテンツを記録するために必要なコンテンツ情報を取得するためのコンテンツ情報取得手段と、
前記コンテンツ情報取得手段に接続され、前記コンテンツ情報取得手段が取得したコンテンツ情報を表示するための表示手段と、
前記コンテンツ情報取得手段及び前記表示手段に接続され、前記表示手段に表示されたコンテンツ情報のいずれかを、予約対象として選択するためにユーザが操作する操作部と、
前記コンテンツ情報取得手段及び前記操作部に接続され、前記操作部を用いてユーザにより選択されたコンテンツについて、コンテンツの識別情報を含む予約コマンドを生成するための予約コマンド生成手段と、
前記予約コマンド生成手段に接続され、前記予約コマンド生成手段により生成された予約コマンドを前記コンテンツ記録装置に送信するためのコマンド送信手段とを含む、コンテンツ記録システム。
【請求項１３】
外部からのコマンドを受信するための受信手段と、
前記受信手段に接続され、前記受信手段が受信する、コンテンツの記録の予約を指示する予約コマンドにしたがって、コンテンツの記録の予約情報を管理するための予約管理手段とを含むコンテンツ記録装置における、コンテンツの記録方法であって、
前記予約情報は、コンテンツ単位で、コンテンツの送信スケジュール及び伝送媒体を特定するコンテンツ情報と、予約コマンドの受信回数とを含み、
前記コンテンツ記録装置はさらに、
前記予約管理手段に接続され、前記予約管理手段によりカウントされた予約コマンドの受信回数が１以上のコンテンツについて、前記コンテンツ情報によりスケジュールされた送信時間に到達したことに応答して、当該コンテンツを当該コンテンツのコンテンツ情報により特定される伝送媒体から受信し記録するためのコンテンツ記録手段とを含み、
前記方法は、
前記受信手段が外部からコンテンツの予約コマンドを受信するステップと、
前記予約管理手段が、前記受信手段が受信する、コンテンツの記録の予約を指示する予約コマンドにしたがって、コンテンツの記録の予約情報を管理するステップと、
前記コンテンツ記録手段が、前記予約管理手段によりカウントされた予約コマンドの受信回数が１以上のコンテンツについて、前記コンテンツ情報によりスケジュールされた送信時間に到達したことに応答して、当該コンテンツを当該コンテンツのコンテンツ情報により特定される伝送媒体から受信し記録するステップとを含む、コンテンツの記録方法。
【請求項１４】
コンテンツを所定伝送媒体上で受信する通信機能を持つコンピュータを、
外部からのコマンドを受信するための受信手段と、
前記受信手段に接続され、前記受信手段が受信する、コンテンツの記録の予約を指示する予約コマンドにしたがって、コンテンツの記録の予約情報を管理するための予約管理手段として機能させるコンピュータプログラムであって、
前記予約情報は、コンテンツ単位で、コンテンツの送信スケジュール及び伝送媒体を特定するコンテンツ情報と、予約コマンドの受信回数とを含み、
前記コンピュータプログラムはさらに、前記コンピュータを、前記予約管理手段に接続され、前記予約管理手段によりカウントされた予約コマンドの受信回数が１以上のコンテンツについて、前記コンテンツ情報によりスケジュールされた送信時間に到達したことに応答して、当該コンテンツを当該コンテンツのコンテンツ情報により特定される伝送媒体から受信し記録するためのコンテンツ記録手段として機能させる、コンピュータプログラム。
【発明の詳細な説明】
【技術分野】
【０００１】
この発明はコンテンツ記録装置におけるコンテンツの予約技術に関し、特に、既存のコンテンツ記録装置の仕組みを大きく変えることなく、複数のユーザによる予約及び再生を管理する技術に関する。
【背景技術】
【０００２】
家中の電気機器がネットワークに接続される状況が実現されつつある。新たに発売される機器には、ネットワークとの連携機能が標準搭載されつつある。その結果、コンテンツ又はサービス（以下、単に「サービス等」と呼ぶ。）の所在を意識することなく、それらをユーザが気軽に利用できる環境になりつつある。こうした環境の下、ユーザは、場所及び時間を問わず、自分が利用しているサービス等をどの端末からでも扱えるようになる日が近づいている。
【０００３】
一方、こうしたネットワーク化と、いわゆるクラウドコンピューティングとが進展している。これらの進展によって、ネットワーク経由でユーザが扱えるサービス等の数が飛躍的に増大する世界が拡がる。こうした世界がいわゆる「超流通」の世界である。
【０００４】
超流通の世界は、一見すると、便利に感じられる。しかし、ユーザにとっては、こうした世界を十分に楽しむことが困難になるのではないか、という懸念がある。例えば、どのサービス等を利用すればよいかを決定することがユーザには困難となるかもしれない。利用するサービス等が決定できたとして、そのサービス等を利用するために、複雑な操作を強いられるおそれもある。
【０００５】
このようなサービス等を提供するサービス事業者にも、ユーザに対してある程度の操作を要求するだけの事情がある。例えば、サービス等の提供を業とする以上、サービス業者はユーザを認証する必要がある。そのため、サービス事業者は、ユーザ毎に識別番号（ＩＤ）又はパスワード（ＰＷ）又はその双方を発行する（以下、これらを単に「ＩＤ／ＰＷ」と呼ぶ。）。ユーザは、サービス等にログインする際にはこうしたＩＤ／ＰＷを入力する。サービス事業者は、入力されたＩＤ／ＰＷに応じて、提供すべきサービス等を決定する。
【０００６】
通常、ＩＤ／ＰＷは初めてユーザが特定のサービス等を利用するときにサービス事業者が発行し、サービス事業者のサービス利用者認証システムに登録される。ＩＤ／ＰＷをユーザが決定するシステムも存在するが、そうしたシステムでは、ユーザのＩＤが互いに重複しないことが必要である。
【０００７】
周知の通り、このようなＩＤ／ＰＷによりユーザを認証するサービス等は多数存在する。それらサービス等の中には、生活のために非常に重要なものが存在する。しかもそうしたサービス等の数は急速に増加しつつある。複数のサービス等を利用するユーザは、サービス毎にＩＤ／ＰＷを覚える必要がある。覚えるべきＩＤ／ＰＷの数が多くなると、それらを誤りなく記憶するのは困難になる。共通のＩＤ／ＰＷを使用することも可能だが、危険である。メモとしてＩＤ／ＰＷを記録するのはそれ以上に危険である。したがって、こうした問題を解決することが望まれている。
【０００８】
こうした問題に対する一つの解決手段として、ＯｐｅｎＩＤと呼ばれる規格が提案され、実現されている。URL=http://openid.net/を参照されたい。この仕様に準拠したサービス間では、ＯｐｅｎＩＤサービスのプロバイダに登録したひとつのＩＤ／ＰＷで、認証が必要な様々なＷＥＢサイトでのサービス等を利用できる。しかし、ＯｐｅｎＩＤサービスを利用していないＷＥＢサイトについては、やはりＩＤ／ＰＷを別に記憶しておく必要がある。
【０００９】
一方、パーソナルコンピュータ（以下「ＰＣ」と呼ぶ。）等では、Ｏｐｅｒａｔｉｎｇ  Ｓｙｓｔｅｍ（以下「ＯＳ」と呼ぶ。）の機能として、インターネットサービス同様、ＩＤ／ＰＷによりユーザを認証する技術が採用されている。ユーザ認証の結果を使用して、ユーザにより異なる種々のメニュー及び機能等を提供できる。例えば、デスクトップ環境、電子メールの設定、ＷＥＢブラウザのブックマーク等は、ユーザにより異なる。ＩＤ／ＰＷでユーザを認証することにより、同一のＰＣにおいて、このような個人的な情報に基づくサービスを提供できる。
【００１０】
ネットワークでＰＣを管理する場合、ＩＤ／ＰＷにより一元的に管理するシステムが広く普及している。ユーザは、同じネットワーク内のどのコンピュータにも、同じＩＤ／ＰＷでログオンできる。
【先行技術文献】
【特許文献】
【００１１】
【特許文献１】特開２００９‐１４６２２０号公報
【発明の概要】
【発明が解決しようとする課題】
【００１２】
近年、ＤＶＤ（Ｄｉｇｉｔａｌ  Ｖｅｒｓａｔｉｌｅ  Ｄｉｓｃ）／ＨＤＤ（Ｈａｒｄ  Ｄｉｓｋ  Ｄｒｉｖｅ）レコーダ、ＢＤ（Ｂｌｕ‐Ｒａｙ  Ｄｉｓｃ）レコーダが急速に普及しつつある。これらは、主にテレビジョン（以下「ＴＶ」と呼ぶ。）番組を録画することを目的とする。これら製品は、基本的に、ＴＶ受像機と接続して番組を録画予約することに使用される。そのため、これら製品は家族で共用する可能性が高い。
【００１３】
このようなレコーダにおいては、一般的に、録画の予約をリストした予約リスト、及び録画済の番組をリストした録画リストを見ることができる。こうしたリストは、レコーダ一つについて一つずつ存在する。したがって、例えば同一の予約リストに複数のユーザが別々に予約した番組が混在して表示される。録画リストでも同様である。
【００１４】
しかし、ユーザは自分の見たい番組だけに興味がある。したがって、予約リストおよび録画リストをユーザ毎に管理したいという要望がある。
【００１５】
そうした問題を解決するためには、ＰＣと同様、各ユーザがユニークなＩＤを使用してレコーダにログインすることが考えられる。しかし、一般的にレコーダの操作はリモコンにより行なわれる。リモコンはＰＣのキーボードと比較すると、ＩＤ／ＰＷを入力する操作には向いていない。そのためＰＣと同様のＩＤ／ＰＷを使用することは、レコーダでは望ましくない。そもそも、マルチユーザの概念をレコーダに導入することだけでも、既存のレコーダの仕組を大幅に変更する必要がある。ユーザごとにデータを別々に管理する必要が生じるという問題もある。さらに、レコーダを使用しているユーザが代わるたびに、ログオフおよびログオンをしなければならないという問題がある。その結果、レコーダの操作が煩雑になってしまう。
【００１６】
この問題を解決するために、レコーダを、付属のリモコンではなく携帯電話で操作することが提案されている。例えば特許文献１は、ＴＶ受像機への入力装置として機能する携帯電話を開示している。この携帯電話は、ＴＶ受像機から入力可能文字列種別(氏名、電話番号等)を受信する。さらに、受信した文字列種別に合致する入力済文字列をＴＶ受像機に返送する。この文字列を使用して、ＴＶ受像機を経由してサービス等にログインできる。
【００１７】
しかし、こうした仕組は従来のレコーダには全く存在していない。レコーダにログインするためだけに、このような機能を新たに開発するのは、コスト的にも見合わない。
【００１８】
本発明は、レコーダのようなコンテンツ記録装置であって、装置の構成を大きく変えることなく、複数のユーザによるコンテンツの記録予約の管理を行なうことができるコンテンツ記録装置及びコンテンツ記録方法を提供することを目的とする。
【課題を解決するための手段】
【００１９】
本発明の第１の局面に係るコンテンツ記録装置は、外部からのコマンドを受信するための受信手段と、受信手段に接続され、受信手段が受信する、コンテンツの記録の予約を指示する予約コマンドにしたがって、コンテンツの記録の予約情報を管理するための予約管理手段とを含む。予約情報は、コンテンツ単位で、コンテンツの送信スケジュール及び媒体を特定するコンテンツ情報と、予約コマンドのカウントとを含む。コンテンツ記録装置はさらに、予約管理手段に接続され、予約管理手段によりカウントされた予約コマンドのカウントが１以上のコンテンツについて、コンテンツ情報によりスケジュールされた送信時間に到達したことに応答して、当該コンテンツを当該コンテンツのコンテンツ情報により特定される送信媒体から受信し記録するためのコンテンツ記録手段を含む。
【００２０】
受信手段が外部からコマンドを受信する。予約管理手段は、このコマンドが番組の記録の予約コマンドであればその内容にしたがってコンテンツの記録予約情報を管理する。予約管理手段によりカウントされた予約コマンドの数が１以上の場合、コンテンツ記憶手段は、コンテンツ情報によりスケジュールされた送信時間になると、コンテンツ情報により特定される送信媒体からコンテンツを受信して記録する。
【００２１】
予約コマンドの数が予約管理手段により管理される。特定のコンテンツの予約コマンドのカウントが１以上のときにはそのコンテンツの記録が予約にしたがって行なわれる。予約コマンドが別々の装置から送信されてきたときに、予約カウントが０でなければ記録される。複数の装置による記録の予約に対して、特にユーザ認証などをすることなく、記録の予約を行なうことができる。同一のコンテンツについて複数の予約があったときにも、記録は一度のみ行なわれる。予約を行なう装置では、自分が予約したコンテンツのリストを管理しておけば、コンテンツ記録装置で管理されている情報と比較することで、他の装置とは独立に予約を管理することが可能である。その結果、装置の構成を大きく変えることなく、複数のユーザによるコンテンツの記録予約の管理を行なうことができるコンテンツ記録装置を提供することができる。記録データを共有するので、記憶装置を有効に利用できる。
【００２２】
好ましくは、コンテンツ記録装置はさらに、コンテンツ記録手段及び予約管理手段に接続され、あるコンテンツの受信及び記録をコンテンツ記録手段が完了したことに応答して、当該コンテンツについて記録したことを示す情報と、記録されたコンテンツデータの所在情報とを、予約管理手段により管理されている予約情報と関係付けて記録し管理するための記録管理手段を含む。
【００２３】
より好ましくは、コンテンツ記録装置はさらに、コンテンツ記録手段に接続され、あるコンテンツの受信及び記録をコンテンツ記録手段が完了したことに応答して、当該コンテンツを特定する情報と、記録されたコンテンツデータの所在情報と、予約管理手段において当該コンテンツについて管理されている予約コマンドの回数とを予約情報とは別の記録情報として管理するための記録管理手段を含む。
【００２４】
さらに好ましくは、コンテンツ記録装置はさらに、受信手段及び予約管理手段に接続され、受信手段が特定のコンテンツの記録の予約を取消すコマンドを受信したことに応答して、予約管理手段により管理されている予約情報のうち、当該コマンドにより特定されるコンテンツの予約コマンドの回数を減算するための予約取消手段を含む。
【００２５】
コンテンツ記録装置はさらに、受信手段及び予約管理手段に接続され、受信手段が特定のコンテンツのコンテンツデータを消去するコマンドを受信したことに応答して、予約管理手段により管理されている予約情報のうち、当該コマンドにより特定されるコンテンツの予約コマンドの回数を減算するための記録取消手段を含む。
【００２６】
好ましくは、コンテンツ記録装置はさらに、予約管理手段に接続され、予約管理手段により管理されている予約情報のうち、記録取消手段により減算された結果、予約コマンドの回数が０となった予約情報が発生したことに応答して、当該予約情報を予約管理手段から消去するための予約情報消去手段を含む。
【００２７】
好ましくは、コンテンツ記録装置はさらに、予約管理手段及びコンテンツ記録手段に接続され、予約管理手段により管理されている予約情報のうち、記録取消手段により減算された結果、予約コマンドの回数が０となった予約情報が発生したことに応答して当該予約情報に対応するコンテンツのコンテンツデータをコンテンツ記録手段から消去するためのコンテンツ消去手段を含む。
【００２８】
より好ましくは、コンテンツ記録装置はさらに、受信手段及び記録管理手段に接続され、受信手段が特定のコンテンツのコンテンツデータを消去するコマンドを受信したことに応答して、記録管理手段により管理されている記録情報のうち、当該コマンドにより特定されるコンテンツの予約コマンドの回数を減算するための記録取消手段を含む。
【００２９】
さらに好ましくは、コンテンツ記録装置はさらに、記録管理手段に接続され、記録管理手段により管理されている予約情報のうち、記録取消手段により減算された結果、予約コマンドの回数が０となった記録情報が発生したことに応答して、当該記録情報を記録管理手段から消去するための記録情報消去手段を含む。
【００３０】
コンテンツ記録装置はさらに、記録管理手段及びコンテンツ記録手段に接続され、記録管理手段により管理されている記録情報のうち、記録取消手段により減算された結果、予約コマンドの回数が０となった記録情報が発生したことに応答して当該記録情報に対応するコンテンツのコンテンツデータをコンテンツ記録手段から消去するためのコンテンツ消去手段を含んでもよい。
【００３１】
好ましくは、コンテンツ記録装置はさらに、受信手段が、コンテンツの識別情報を含む、コンテンツの再生要求を受信したことに応答して、コンテンツ記録手段から、当該再生要求中の識別情報により特定されるコンテンツデータを読出して再生するためのコンテンツ再生手段を含む。
【００３２】
本発明の第２の局面に係るコンテンツ記録システムは、上記したいずれかのコンテンツ記録装置と、所定の媒体上で送信されるコンテンツに関する予約コマンドを生成しコンテンツ記録装置に送信するための予約入力装置とを含むコンテンツ記録システムである。予約入力装置は、所定の媒体上で送信されるコンテンツについて、当該コンテンツを記録するために必要なコンテンツ情報を取得するためのコンテンツ情報取得手段と、コンテンツ情報取得手段に接続され、コンテンツ情報取得手段が取得したコンテンツ情報を表示するための表示手段と、コンテンツ情報取得手段及び表示手段に接続され、表示手段に表示されたコンテンツ情報のいずれかを、予約対象として選択するためにユーザが操作する操作部と、コンテンツ情報取得手段及び操作部に接続され、操作部を用いてユーザにより選択されたコンテンツについて、コンテンツの識別情報を含む予約コマンドを生成するための予約コマンド生成手段と、予約コマンド生成手段に接続され、予約コマンド生成手段により生成された予約コマンドをコンテンツ記録装置に送信するためのコマンド送信手段とを含む。
【００３３】
本発明の第３の局面に係るコンテンツ記録方法は、外部からのコマンドを受信するための受信手段と、受信手段に接続され、受信手段が受信する、コンテンツの記録の予約を指示する予約コマンドにしたがって、コンテンツの記録の予約情報を管理するための予約管理手段とを含むコンテンツ記録装置における、コンテンツの記録方法である。予約情報は、コンテンツ単位で、コンテンツの送信スケジュール及び媒体を特定するコンテンツ情報と、予約コマンドのカウントとを含む。コンテンツ記録装置はさらに、予約管理手段に接続され、予約管理手段によりカウントされた予約コマンドのカウントが１以上のコンテンツについて、コンテンツ情報によりスケジュールされた送信時間に到達したことに応答して、当該コンテンツを当該コンテンツのコンテンツ情報により特定される送信媒体から受信し記録するためのコンテンツ記録手段とを含む。本コンテンツ記録方法は、受信手段が外部からコンテンツの予約コマンドを受信するステップと、予約管理手段が、受信手段が受信する、コンテンツの記録の予約を指示する予約コマンドにしたがって、コンテンツの記録の予約情報を管理するステップと、コンテンツ記録手段が、予約管理手段によりカウントされた予約コマンドのカウントが１以上のコンテンツについて、コンテンツ情報によりスケジュールされた送信時間に到達したことに応答して、当該コンテンツを当該コンテンツのコンテンツ情報により特定される送信媒体から受信し記録するステップとを含む。
【００３４】
本発明の第４の局面に係るコンピュータプログラムは、コンテンツを所定媒体上で受信する通信機能を持つコンピュータを、外部からのコマンドを受信するための受信手段と、受信手段に接続され、受信手段が受信する、コンテンツの記録の予約を指示する予約コマンドにしたがって、コンテンツの記録の予約情報を管理するための予約管理手段として機能させるコンピュータプログラムである。予約情報は、コンテンツ単位で、コンテンツの送信スケジュール及び媒体を特定するコンテンツ情報と、予約コマンドのカウントとを含む。このコンピュータプログラムはさらに、コンピュータを、予約管理手段に接続され、予約管理手段によりカウントされた予約コマンドのカウントが１以上のコンテンツについて、コンテンツ情報によりスケジュールされた送信時間に到達したことに応答して、当該コンテンツを当該コンテンツのコンテンツ情報により特定される送信媒体から受信し記録するためのコンテンツ記録手段として機能させる。
【発明の効果】
【００３５】
以上のように本発明によれば、装置の構成を大きく変えることなく、複数のユーザによるコンテンツの記録予約の管理を行なうことができる。同一のコンテンツについて予約操作があるたびに予約カウントの値を加算し、予約の取消があるたびに予約カウントの値を減算する。複数のユーザによって同一のコンテンツに対する予約の操作及び取消の操作があったときに、予約回数が１以上であればコンテンツの記録を行なう。従来のコンテンツ記録装置の構成を大きく変えることなく、複数のユーザによるコンテンツの予約記録に対応することができる。記録されたコンテンツデータについては、消去要求があると記録リストの予約回数を減算する。予約回数が０となると、コンテンツデータを消去する。あるユーザがあるコンテンツデータの消去を指示しても、他のユーザからの消去の指示を受取らない限りコンテンツが消去されることはない。各ユーザから見ると、自分の予約・消去のみに応じてコンテンツ記録装置が動作しているように見える。その結果、複数のユーザについて、ユーザ認証などの複雑な処理をすることなく、コンテンツの予約管理及び記録管理を独立に行なうことができる。
【図面の簡単な説明】
【００３６】
【図１】本発明の１実施の形態に係る録画予約システム１００の構成を示すブロック図である。
【図２】録画予約システム１００に含まれる携帯電話１１２のハードウェアブロック図である。
【図３】録画予約システム１００に含まれる録画・再生機器１０６のハードウェアブロック図である。
【図４】携帯電話１１２で使用される予約リスト１７０のフォーマットを模式的に示す図である。
【図５】録画・再生機器１０６で使用される予約・録画リスト２２０のフォーマットを模式的に示す図である。
【図６】携帯電話１１２において、ＴＶ番組の予約及び再生を行なう処理を実現するプログラムの制御構造を示すフローチャートである。
【図７】図７に制御構造を示すプログラムにおいて、予約指示処理を実現するプログラムの制御構造を示すフローチャートである。
【図８】番組表の表示画面を模式的に示す図である。
【図９】番組の録画予約画面を模式的に示す図である。
【図１０】番組の録画予約において携帯電話１１２から録画・再生機器１０６に向けて送信される予約情報３５０のフォーマットを模式的に示す図である。
【図１１】図７に制御構造を示すプログラムにおいて、予約削除処理を実現するプログラムの制御構造を示すフローチャートである。
【図１２】予約削除処理の画面表示例を模式的に示す図である。
【図１３】予約削除処理の画面表示例を模式的に示す図である。
【図１４】番組の録画予約の削除時に携帯電話１１２から録画・再生機器１０６に向けて送信される予約削除情報４６０のフォーマットを模式手に示す図である。
【図１５】図７に制御構造を示すプログラムにおいて、再生処理を実現するプログラムの制御構造を示すフローチャートである。
【図１６】再生処理の実行時の画面表示の例を模式的に示す図である。
【図１７】再生処理の実行時の画面表示の例を模式的に示す図である。
【図１８】図７に制御構造を示すプログラムにおいて、録画消去処理を実現するプログラムの制御構造を示すフローチャートである。
【図１９】録画消去処理の実行時の画面表示の例を模式的に示す図である。
【図２０】録画消去処理の実行時の画面表示の例を模式的に示す図である。
【図２１】録画消去処理の実行時、携帯電話１１２から録画・再生機器１０６に向けて送信される録画消去番組情報６６０のフォーマットを模式的に示す図である。
【図２２】録画消去処理実行後の画面表示の例を模式的に示す図である。
【図２３】録画・再生機器１０６において、ＴＶ番組の予約及び再生を行なう処理を実現するプログラムの制御構造を示すフローチャートである。
【図２４】図２３に制御構造を示すプログラムにおいて、番組の録画予約処理を実現するプログラムの制御構造を示すフローチャートである。
【図２５】番組の録画予約処理の実行時に、携帯電話１１２から送信されてきた予約情報から録画・再生機器１０６が抽出する予約情報７７０のフォーマットを示す図である。
【図２６】番組の録画予約処理の完了時の録画・再生機器１０６の表示例を模式的に示す図である。
【図２７】図２３に制御構造を示すプログラムにおいて、番組の録画予約の削除処理を実現するプログラムの制御構造を示すフローチャートである。
【図２８】番組の録画予約の削除処理の実行時に、携帯電話１１２から送信されてきたメッセージから録画・再生機器１０６が抽出する予約削除情報８４０のフォーマットを示す図である。
【図２９】番組の録画予約の削除処理の完了時の録画・再生機器１０６の表示例を模式的に示す図である。
【図３０】図２３に制御構造を示すプログラムにおいて、番組の再生処理の最初に録画リストを携帯電話１１２に向けて送信する処理を実現するプログラムの制御構造を示すフローチャートである。
【図３１】再生時の録画・再生機器１０６の表示例を模式的に示す図である。
【図３２】図２３に制御構造を示すプログラムにおいて、録画番組の消去処理を実現するプログラムの制御構造を示すフローチャートである。
【図３３】録画番組の消去処理の実行時に、携帯電話１１２から送信されてきたメッセージから録画・再生機器１０６が抽出する録画消去番組情報９４０のフォーマットを模式的に示す図である。
【図３４】録画番組の消去処理の実行時に録画・再生機器１０６に表示される画面の例を模式的に示す図である。
【図３５】録画予約の開始時に携帯電話１１２に記憶されている予約リスト１７０の状態を模式的に示す図である。
【図３６】録画予約の開始時に携帯電話１１４に記憶されている予約リスト９８０の状態を模式的に示す図である。
【図３７】録画予約の開始時に録画・再生機器１０６に記憶されている予約・録画リスト２２０の状態を模式的に示す図である。
【図３８】携帯電話１１２における予約処理の実行時に携帯電話１１２から録画・再生機器１０６に送信される予約情報１０００を模式的に示す図である。
【図３９】図３８に示される予約情報１０００から録画・再生機器１０６が抽出する予約情報１０２０の例を模式的に示す図である。
【図４０】携帯電話１１２における予約処理の実行後の予約リスト１７０の状態を示す図である。
【図４１】携帯電話１１２からの予約処理の実行後に、録画・再生機器１０６に記憶されている予約・録画リスト２２０の状態を示す図である。
【図４２】携帯電話１１４における、番組「スポーツＡ」の予約処理の実行後に、携帯電話１１４に記憶されている予約リスト９８０の状態を示す図である。
【図４３】携帯電話１１４における、番組「スポーツＡ」の予約処理の実行後に、録画・再生機器１０６に記憶されている予約・録画リスト２２０の状態を示す図である。
【図４４】携帯電話１１２において、番組「映画Ｂ」の予約削除処理を実行したときに携帯電話１１２から録画・再生機器１０６に送信される録画予約の削除情報１０４０の例を模式的に示す図である。
【図４５】図４４に示す録画予約の削除情報１０４０から録画・再生機器１０６が抽出する録画予約の削除情報１０６０を模式的に示す図である。
【図４６】携帯電話１１２において、番組「映画Ｂ」の予約削除処理を実行した後に録画・再生機器１０６に記憶されている予約・録画リスト２２０の状態を示す図である。
【図４７】携帯電話１１２において番組「映画Ｂ」の録画予約を削除した後に、携帯電話１１２に記憶されている予約リスト１７０の状態を示す図である。
【図４８】番組の録画後の予約・録画リスト２２０の状態を模式的に示す図である。
【図４９】番組の録画後の、携帯電話１１２の予約リスト１７０の状態の例を模式的に示す図である。
【図５０】携帯電話１１２において録画番組の消去処理が行なわれたときに携帯電話１１２から録画・再生機器１０６に送信される録画消去情報１０８０の例を模式的に示す図である。
【図５１】録画消去情報１０８０から録画・再生機器１０６が抽出する録画消去情報１１００を模式的に示す図である。
【図５２】番組「ドラマＣ」の録画を削除する指示を１回受けた後の予約・録画リスト２２０の状態を模式的に示す図である。
【図５３】図５２に示される状態で、さらに番組「ドラマＣ」の録画を削除する指示を受けた後の予約・録画リスト２２０の状態を模式的に示す図である。
【発明を実施するための形態】
【００３７】
以下、本発明の１実施の形態について、その構造及び動作を説明する。以下の説明では、同一の部品には同一の参照番号を付してある。それらの名称及び機能も同一である。したがってそれらについての詳細な説明は繰返さない。
【００３８】
［ハードウェア構成］
図１を参照して、本実施の形態に係る録画予約システム１００は、インターネット１０２に接続される無線ルータ１０４と、無線ルータ１０４と無線ＬＡＮ（Ｌｏｃａｌ  Ａｒｅａ  Ｎｅｔｗｏｒｋ）１１８によりそれぞれ接続される、携帯電話群１０８と、無線ルータ１０４とＬＡＮ回線１２０により接続される録画・再生機器１０６とを含む。携帯電話群１０８は、例えば、携帯電話１１２，１１４及び１１６を含む。これら携帯電話１１２，１１４及び１１６の各々は、赤外線１２２により録画・再生機器１０６に指示を送ることができる。すなわち、携帯電話１１２，１１４及び１１６の各々は、録画・再生機器１０６のリモートコントローラとして動作することが可能である。
【００３９】
携帯電話１１２，１１４及び１１６は互いに異なる構造を有するが、録画・再生機器１０６に対する録画予約の管理を行なう機能については共通である。したがって、以下では、携帯電話１１２，１１４及び１１６を代表して、携帯電話１１２の構成について説明する。
【００４０】
図２を参照して、携帯電話１１２は、アンテナ１３０と、アンテナ１３０を介して無線ルータ１０４及び図示しない無線電話網と通信する通信部１３２と、通信部１３２に接続された制御部１３４とを含む。制御部１３４は実質的にはコンピュータであって、内部にはコンピュータプログラムを実行するＣＰＵ（中央演算処理装置）を含む。
【００４１】
携帯電話１１２はさらに、制御部１３４に接続され、制御部１３４が実行するプログラムおよび予約リスト１７０を格納するための不揮発性記憶装置からなる記憶部１５０と、制御部１３４に接続され、制御部１３４のプログラム実行時のデータの一時記憶を提供する一時記憶部１３６と、いずれも制御部１３４に接続され、制御部１３４の制御の下で動作する音声出力部１３８、音声入力部１４０、ＬＥＤ（Ｌｉｇｈｔ  Ｅｍｉｔｔｉｎｇ  Ｄｉｏｄｅ）１４２、撮像部１４４、振動部１４６、及びＲＦＩＤ（Ｒａｄｉｏ  Ｆｒｅｑｕｅｎｃｙ  Ｉｄｅｎｔｉｆｉｃａｔｉｏｎ）部１４８とを含む。
【００４２】
携帯電話１１２はさらに、制御部１３４に接続され、録画・再生機器１０６との間で赤外線１２２により通信を行なう通信部１６６と、制御部１３４に接続され、記憶媒体１６２が装着可能で、記憶媒体１６２からのデータの読出及び記憶媒体１６２へのデータの書込を行なうための記録媒体アクセス部１６４と、携帯電話１１２の筐体に設けられたテンキー等を含み、ユーザの入力に応じた信号を発生して制御部１３４に与えるための入力部１６０と、表示部１５６と、ＶＲＡＭ（Ｖｉｄｅｏ  Ｒａｎｄｏｍ  Ａｃｃｅｓｓ  Ｍｅｍｏｒｙ）１５４と、制御部１３４、ＶＲＡＭ１５４及び表示部１５６に接続され、制御部１３４の制御の下、ＶＲＡＭ１５４を用い、表示部１５６を制御して画像を表示するＶＤＰ（Ｖｉｄｅｏ  Ｄｉｓｐｌａｙ  Ｐｒｏｃｅｓｓｏｒ）１５２と、制御部１３４に接続され、携帯電話１１２に対するユーザのアクセスを、ユーザの生体情報により制限するための生体情報読取部１５８とを含む。
【００４３】
制御部１３４は、通信部１３２及びアンテナ１３０を通じた無線通信により、インターネット１０２上のＥＰＧ（Ｅｌｅｃｔｒｏｎｉｃ  Ｐｒｏｇｒａｍ  Ｇｕｉｄｅ）を取得する機能を持つ。
【００４４】
図３を参照して、録画・再生機器１０６は、図示しないＣＰＵを含む、実質的にコンピュータからなる制御部１９２と、制御部１９２の制御の下、有線又は無線放送電波から所望のチャンネルのＴＶ信号を選択するチューナ２００と、制御部１９２の制御の下、チューナ２００の出力するＴＶ電波を処理してＴＶ画像信号及び音声信号を出力するデータ処理部２０２と、データ処理部２０２の出力するＴＶ画像信号及び音声信号からなる録画コンテンツデータ及び予約・録画リスト２２０を記憶する、不揮発性の記憶媒体（ハードディスクドライブなど）からなる記憶部２０４とを含む。データ処理部２０２はまた、記憶部２０４から読出されたコンテンツ信号を処理して音声信号及び画像信号を生成して出力する機能も持つ。
【００４５】
録画・再生機器１０６はさらに、携帯電話１１２などからの赤外線からなるリモコン信号を受信して制御部１９２に与えるリモコン信号受信部２１６と、録画・再生機器１０６の筐体に設けられたテンキー、ボタン、スイッチなどからなり、ユーザの操作に応じた信号を制御部１９２に与える入力部２１２と、制御部１９２に対し一時的なデータの記憶領域を提供する一時記憶部１９４と、制御部１９２の制御に応じ、ＴＶ番組等の音声信号を音声に変換して出力する音声出力部１９６と、制御部１９２により制御されるＬＥＤ１９８と、ＶＲＡＭ２０８及び表示部２１０と、データ処理部２０２により出力される画像信号を受け、制御部１９２の制御の下で、ＶＲＡＭ２０８及び表示部２１０を用いて画像を表示部２１０に表示する処理を行なうＶＤＰ２０６とを含む。なお、記憶部２０４からのコンテンツデータの再生時、音声データは制御部１９２により処理されて音声信号として音声出力部１９６に与えられ、再生される。
【００４６】
図４を参照して、携帯電話１１２の予約リスト１７０は、録画予約された番組の放送予定年月日、録画予約された番組の開始時間及び終了時間、番組のチャンネル、番組タイトル並びに番組詳細を含む。番組のチャンネル、番組タイトル及び番組詳細などは、いずれもＥＰＧから入手できる。本実施の形態では、ＥＰＧは、インターネット１０２から入手することを想定している。なお、図４に示される例では予約番号（Ｎｏ）も記憶される。
【００４７】
図５を参照して、録画・再生機器１０６の予約・録画リスト２２０は、予約リスト１７０と同様、録画予約された番組の放送予定年月日、開始時間及び終了時間、チャンネル、番組タイトル、番組詳細、並びに携帯電話１１２などのリモコンによりこの番組の録画予約がされた回数を格納する予約回数のフィールドを含む。本実施の形態における予約・録画リスト２２０は、番組予約だけではなく、予約された番組を録画した後の、録画データに関する情報、すなわち画像のサムネイルと、録画データの格納場所を示す動画場所とを記憶している。
【００４８】
録画・再生機器１０６の制御部１９２は、予約・録画リスト２２０のエントリのいずれかの放送開始時間に到達すると、チューナ２００、データ処理部２０２、及び記憶部２０４を制御して、そのエントリにより指定されるチャンネルで放送される番組の録画を開始する。このとき、放送番組はチューナ２００により予約・録画リスト２２０により特定されるチャンネルという媒体から受信される。番組はさらにデータ処理部２０２によりデータ処理され、生成されたコンテンツデータは記憶部２０４に記憶（録画）される。一時記憶部１９４は、この記憶（録画）が完了すると、そのサムネイル画像を生成し、記憶部２０４に記憶する。一時記憶部１９４はさらに、このサムネイル画像の記憶位置及びコンテンツデータの所在情報（ファイル名及びパス名）を予約・録画リスト２２０の該当位置に書込む処理をする。ここでは、コンテンツを取得する媒体を放送のチャンネルとしているが、媒体は他のものでもよい。例えば、コンテンツを取得する媒体は、インターネットに代表される通信媒体でもよい。
【００４９】
［携帯電話１１２のプログラム構成］
〈全体制御用プログラム〉
図６を参照して、携帯電話１１２の制御部１３４により実行されるプログラムは、入力部１６０、通信部１３２、通信部１６６、及び生体情報読取部１５８のいずれかから入力があるまで待機するステップ２４０と、何らかの入力があったときに、入力に応じ、予約指示処理（ステップ２４４）、予約削除処理（ステップ２４６）、再生処理（ステップ２４８）、録画番組消去処理（ステップ２５０）、及びその他の処理（ステップ２５２）のいずれかに制御の流れを分岐させるステップ２４２とを含む。ステップ２４４，２４６，２４８，２５０及び２５２での処理が終了すると、いずれの場合も制御はステップ２４０に戻る。
【００５０】
〈録画予約〉
図７を参照して、図６のステップ２４４は、ＥＰＧにより取得された番組表を表示するステップ２７０と、ユーザに、何らかの番組を予約対象として選択させるステップ２７２とを含む。例えばステップ２７０では、図８に示す番組表画面３００が表示される。ステップ２７２では、番組表画面３００に表示された番組の中からユーザが何らかの番組を選択する。すると、携帯電話１１２の表示部１５６には図９に示すような予約確認画面３２０が表示される。予約確認画面３２０で予約ボタン３２２をユーザが押すと、図７のステップ２７２が完了し、制御はステップ２７４に進む。
【００５１】
ステップ２７４では、ユーザにより選択された番組に関する番組情報（ＥＰＧより）に基づき、図１０に示す予約情報３５０が作成される。図１０に示すように、予約情報３５０は、予約を示す制御コマンド「ＲＥＣ」、予約操作が実行された時間、予約対象の番組の放送予定年月日、放送の開始時間及び終了時間、チャンネル、番組タイトル、並びに番組詳細を含む。
【００５２】
ステップ２７４で作成された予約情報３５０は、続くステップ２７６で録画・再生機器１０６に対し送信される。録画・再生機器１０６はこの予約情報３５０を受信したときには、その内容にあわせて予約・録画リスト２２０を更新する。その処理については後述する。この処理の結果、録画・再生機器１０６からこの携帯電話１１２に対し、予約を受付けたことを示す予約受付情報が送信される。ステップ２７６の後、携帯電話１１２はこの予約受付情報を待機するステップ２７８を実行しており、予約受付情報を受信すると（ステップ２７８でＹＥＳ）、ステップ２８０においてその予約に関する情報を携帯電話１１２の予約リストに反映させ、処理を終了する。
【００５３】
〈録画予約の削除〉
図１１を参照して、図６のステップ２４６（録画の予約削除処理）は、携帯端末（ここでは携帯電話１１２）に記憶されている、番組の予約リスト１７０の内容を表示するステップ３７０と、予約削除の対象となる録画予約をユーザに選択させるステップ３７２とを含む。図１２に、予約リスト表示画面４００の例を示す。予約リスト表示画面４００には、予約リスト１７０に記憶されている各録画予約の内容が表示される。例えば図１２に示す録画予約詳細４０２をユーザが選択すると、図１３に示すように、選択された番組に関する録画予約の削除確認画面４３０が表示される。録画予約の削除確認画面４３０では、番組の詳細情報ととともに予約変更ボタン４３２と予約削除ボタン４３４とが表示される。予約変更ボタン４３２が押されると予約の変更処理が選択される。予約削除ボタン４３４が押されると予約の削除処理が選択される。本実施の形態では、録画予約はＥＰＧにしたがって行なわれる。そのため、予約変更処理を行なう必要はほとんどない。以下の説明では、予約削除ボタン４３４が押されたときについてのみ説明する。予約削除ボタン４３４が押されると、録画・再生機器１０６の予約・録画リスト２２０において、録画予約詳細４０２に対応する番組の録画予約情報が、予約の削除を反映して更新される。その内容については後述する。
【００５４】
再び図１１を参照して、録画予約のうちから削除対象が選択されると、ステップ３７４で予約削除情報が作成され、ステップ３７６で録画・再生機器１０６に向けて赤外線により送信される。図１３に、ステップ３７６で送信される予約削除情報４６０の構成を模式的に示す。図１４を参照して、予約削除情報４６０は、予約削除情報４６０が予約削除を指示するメッセージであることを示す制御コマンド「Ｒ−ＤＥＬ」と、予約削除処理が実行された時間と、予約削除の対象となっている番組の放送予定年月日、放送開始時間及び終了時間、チャンネル、番組タイトル並びに番組詳細とを含む。予約削除情報４６０のフォーマットは、図１０に示す予約情報３５０のフォーマットと同一であり、制御コマンドの値のみが異なる。録画・再生機器１０６は、この予約削除情報４６０を受信すると、該当する予約を削除する処理を行ない（その詳細については図２７を参照して後述する。）、予約を削除したことを示す予約削除受付情報をこの携帯電話１１２に送信してくる。
【００５５】
図１１に戻り、ステップ３７６の後、携帯電話１１２は、録画・再生機器１０６から送信される予約削除受付情報を待機するステップ３７８を実行しており、予約削除受付情報を受信すると、ステップ３８０において、携帯電話１１２が保持している予約リストにその削除の結果を反映させ、処理を終了する。
【００５６】
〈再生処理〉
図１５を参照して、図６のステップ２４８（再生処理）は、録画・再生機器１０６の予約・録画リスト２２０に記憶されている録画番組の内容を示す録画リストを取得するために、録画リスト取得情報を録画・再生機器１０６に向けて赤外線により送信するステップ４８０と、録画リスト取得情報に応じて録画・再生機器１０６から録画リスト情報を受信するまで待機するステップ４８２とを含む。ステップ４８２において携帯電話１１２の表示部１５６に表示される録画リスト更新中画面５２０を図１６に示す。
【００５７】
携帯電話１１２が録画・再生機器１０６から録画リストを受信すると、制御は図１５のステップ４８４に進む。ステップ４８４では、携帯電話１１２が管理している予約リスト１７０と受信した録画リストとを比較し、録画・再生機器１０６からの録画リスト中で、携帯電話１１２の予約リスト１７０にある番組を抽出するステップ４８４と、抽出された番組録画に関する情報を録画リストとして表示するステップ４８６とを含む。
【００５８】
図１７に、ステップ４８６で表示される録画リスト画面５４０の例を示す。図１７を参照して、録画リスト画面５４０には、上に述べたようにして録画・再生機器１０６の予約・録画リスト２２０から抽出された、携帯電話１１２で予約された番組のリストと、再生ボタン５４４とが表示される。図１７には削除ボタンも表示されているが、これについたは録画番組の削除処理で説明する。例えばユーザが番組５４２を選択して再生ボタン５４４を押すと、番組５４２を再生するための指示が録画・再生機器１０６に送信されることになる。
【００５９】
そのため、再び図１５を参照して、ステップ４８８では録画リストの中から所望の一つをユーザに選択させる処理が行なわれる。続くステップ５００では、選択された番組に関する再生指示が作成され録画・再生機器１０６に送信される。録画・再生機器１０６では、この再生指示に基づいて、ステップ４８８で選択された番組の再生が開始される。番組再生を実現するための録画・再生機器１０６のプログラムについては後述する。携帯電話１１２から録画・再生機器１０６に向けて送信される再生指示情報のフォーマットは、図１０に示す予約情報３５０及び図１４に示す予約削除情報４６０と同一である。ただし、制御コマンドのみが再生を示すものに置換えられる。
【００６０】
〈録画消去処理〉
図１８を参照して、録画消去処理（図６のステップ２５０）を実現するプログラムは、図１５のステップ４８０，４８２，４８４及び４８６とそれぞれ同じ処理を行なうステップ５７０，５７２，５７４、及び５７６と、表示された録画リストの中からユーザに録画消去の対象となる番組を選択させるステップ５７８と、録画消去の確認画面を表示し、ユーザに録画消去の確認をさせるステップ５８０と、ステップ５８０で選択された番組に応じた録画消去番組情報を作成するステップ５８２とを含む。
【００６１】
図１９に、ステップ５７６で携帯電話１１２の表示部１５６に表示される録画リスト画面６００の例を示す。録画リスト画面６００においては、録画・再生機器１０６から送信されてくる録画リストのうち、携帯電話１１２の予約リスト１７０にある番組に関する情報が抽出され、一覧表示される。例えばこの一覧からユーザが番組６０２を選択して消去ボタン６０４を押すと、ステップ５７８の処理が終了することになる。
【００６２】
図２０に、このとき、ステップ５８０で表示される番組消去画面６３０の例を示す。図２０を参照して、番組消去画面６３０には、録画消去の対象となる番組の詳細な情報と、消去実行ボタン６３２とが表示される。ユーザが消去実行ボタン６３２を押すと、ステップ５８０の処理が終了し、ステップ５８２以下の処理が実行される。
【００６３】
図２１に、図１８のステップ５８２で作成される録画消去番組情報６６０の例を示す。録画消去番組情報６６０のフォーマットも図１０に示す予約情報３５０、図１４に示す予約削除情報４６０などと同一である。ただし、制御コマンドのみが異なり、コマンド「Ｍ−ＤＥＬ」となっている。後述するが、この録画消去番組情報６６０を受取った録画・再生機器１０６は、録画消去番組情報６６０により特定される番組の録画情報を更新する。その結果、携帯電話１１２の録画リスト画面は、図２２に示す録画リスト画面６８０となる。図２２に示す録画リスト画面６８０を図１９に示す録画リスト画面６００と比較すると容易に分かるように、録画消去番組情報６６０で示される番組（図１９の番組６０２）が削除されている。
【００６４】
図１８を参照して、ステップ５８２の後、携帯電話１１２は、録画・再生機器１０６から送信される予約削除受付情報を待機するステップ５８６を実行する。予約削除受付情報を受信すると、携帯電話１１２は、ステップ５８８で携帯電話１１２の保持する予約リストに、該当の予約の削除を反映させ、処理を終了する。
【００６５】
［録画・再生機器１０６のプログラム構成］
〈全体制御〉
図２３を参照して、録画・再生機器１０６の全体を制御するプログラムは、入力部２１２又はリモコン信号受信部２１６（図３参照）から、何らかの制御信号を受信するまで待機するステップ７００と、ステップ７００で何らかの制御信号が受信されたときに、その制御信号がどのようなものかに応じ、予約指示処理（ステップ７０４）、予約解除処理（ステップ７０６）、再生処理（ステップ７０８）、録画番組消去処理（ステップ７１０）、及びその他の処理（ステップ７１２）のいずれかを実行し、制御をステップ７００に戻すステップ７０２とを含む。
【００６６】
〈予約指示処理〉
図２３のステップ７０４（予約指示処理）を実現するプログラムは、図２４を参照して以下のような制御構造を持つ。ステップ７４０で、受信した予約情報を取出す。このとき取出される予約情報の例を図２５の予約情報７７０により示す。予約情報７７０は、図１０に示す予約情報３５０から作成される。
【００６７】
続いて、取出された予約情報７７０に基づき、既にその番組に関する予約情報のエントリが予約・録画リスト２２０にあるかどうかを判定する（ステップ７４２）。既にあるときには制御はステップ７４６（後述）に進む。まだその番組の予約情報のエントリが予約・録画リスト２２０にないときには、予約・録画リスト２２０にそのエントリを作成する。このとき、「予約回数」には初期値として０が代入される。「サムネイル」及び「動画場所」の欄には空白（ヌル）が初期値として代入される。本実施の形態では、これらの欄が空白（ヌル）であれば、まだこの番組についての録画がされていないことを示す。この番組の録画が完了すると、これらにはこの番組の内容を示すサムネイル画像の格納位置及び動画データ（コンテンツデータ）の格納場所を示す情報がそれぞれ格納される。
【００６８】
続いて、ステップ７４６で、予約・録画リスト２２０のうち、予約情報７７０に対応するエントリの「予約回数」の値に１を加算し、予約・録画リスト２２０を更新して予約処理を完了する（ステップ７４８）。ステップ７５０で、予約受付情報を携帯電話１１２に対して送信して処理を終了する。ステップ７４８及びステップ７５０では、録画・再生機器１０６は例えば、図２６を参照して、表示部２１０の画面上に録画予約を受付けたことを示すメッセージ７９０を表示する。
【００６９】
〈予約削除処理〉
図２７を参照して、図２３のステップ７０６で実行される予約削除処理を実現するプログラムは、携帯電話１１２から受信した予約削除情報４６０から図２８に示すような予約削除情報８４０を抽出するステップ８１０と、抽出された予約削除情報８４０により特定される番組に関する予約情報の予約回数が「２」以上か否かを判定することで、その番組に関する予約が重複しているか否かを判定するステップ８１２とを含む。
【００７０】
ステップ８１２の判定が否定ならば（すなわち同じ番組に関する録画予約が１つしかなければ）、ステップ８１４でその番組の予約情報のエントリを予約・録画リスト２２０から削除する。ステップ８１２の判定が肯定ならば（すなわち同じ番組に関する録画予約が２つ以上あれば）、ステップ８１６で、予約・録画リスト２２０のうちのその番組のエントリのうち、「予約回数」の値を１減算する。ステップ８１４及び８１６の後、いずれも制御はステップ８１８に進み、表示部２１０に予約削除を受付けたことを示すメッセージを表示する。ステップ８１８の後、予約削除の受付が完了したことを示すメッセージを携帯電話１１２に送信して処理を終了する。
【００７１】
ステップ８１８で表示部２１０に表示される画面の例を図２９に示す。図２９を参照して、この画面では、予約削除された番組を特定して、予約削除を受付けたことを示すメッセージ８６０が画面に表示される。
【００７２】
上記処理によれば、結局、各番組のエントリの「予約回数」の欄には、録画・再生機器１０６が受信した予約コマンドのカウント値が、予約削除の回数も合算して正しく格納されることになる。
【００７３】
〈再生〉
図２３のステップ７０８で実行される再生処理を実現するプログラムの制御構造を図３０を参照して説明する。この処理は、携帯電話１１２から録画リストの送信要求を受けたときに開始される。すなわち、ステップ８８０で、録画リストを携帯電話１１２に向けて送信する。録画リストは、予約・録画リスト２２０の中で動画場所の値が空白でないものを抽出することにより作成できる。なおこのとき、録画・再生機器１０６は、録画リストの送信要求を送ってきた携帯電話がどの携帯電話であるかにかかわらず、予約・録画リスト２２０から録画リストを作成して送信する。録画リストから各携帯電話に関連するもののみを抽出するのは携帯電話側での作業である。
【００７４】
ステップ８８２で、携帯電話１１２から番組再生指示を受信するまで待機する。番組再生指示は、録画・再生機器１０６の予約・録画リスト２２０の情報に基づき、特定の番組を識別する情報（放送時刻及びチャンネルなどの組合せ）を含み、この番組を録画・再生機器１０６で再生することを要求する指示である。録画・再生機器１０６は、この番組再生指示を受信すると、録画・再生機器１０６は指定された番組のコンテンツデータを２０４から読出し、データ処理部２０２に与えて再生を開始させる。その結果、図３１に示すように、録画・再生機器１０６の表示部２１０には、指定された番組の映像が表示され、音声が再生される。
【００７５】
〈録画番組消去処理〉
図２３のステップ７１０で実行される録画番組消去処理を実現するプログラムの制御構造を図３２を参照して説明する。まずステップ９１０において、携帯電話１１２から受信した録画消去情報（図２１の録画消去番組情報６６０）から、図３３に示すような録画消去番組情報９４０を抽出する。ステップ９１２で、予約・録画リスト２２０に記録されている、録画消去番組情報９４０に対応するエントリの「予約回数」の値が「２」以上か否かを判定する。この判定は、２つ以上の携帯電話により、同一の番組の録画予約が重複して行なわれていたか否かに関するものである。
【００７６】
ステップ９１２の判定が否定であれば、ステップ９１４で、録画消去番組情報９４０により指定される番組の録画データ（コンテンツデータ）を記憶部２０４から消去し、その番組に対応するエントリを予約・録画リスト２２０から削除する。ステップ９１２の判定が肯定であれば、ステップ９１６で、予約・録画リスト２２０のうち、その番組に対応するエントリの「予約回数」の値から１を減算して予約・録画リスト２２０を更新する。
【００７７】
ステップ９１４及び９１６の後、いずれの場合もステップ９１８において、指示された番組の消去の処理が完了したことを示すメッセージを表示部２１０に表示する。続くステップ９２０で、録画番組消去の受付情報（指定された録画番組の消去が完了したことを示す情報）を携帯電話１１２に送信して処理を終了する。
【００７８】
図３４に、図３２のステップ９１８で録画・再生機器１０６の表示部２１０に表示されるメッセージ９６０の例を示す。図３４を参照して、本実施の形態では、録画を消去した番組を特定する情報とともに、録画消去を実行したことを示すメッセージ９６０を表示する。
【００７９】
［動作］
録画予約システム１００の各部は以下のように動作する。以下の説明では、携帯電話群１０８のうち、携帯電話１１２により録画の予約、予約削除、再生、及び録画番組の消去の指示が録画・再生機器１０６に対して実行されるものとする。
【００８０】
〈録画予約〉
この場合には、携帯電話１１２では、図６のステップ２４０，２４２，２４４の処理が実行される。さらに、ステップ２４４の内部では、図７を参照して、まず、ステップ２７０，２７２，２７４，２７６の処理が実行される。ステップ２７６の処理の結果、その番組の予約情報３５０（図１０）が録画・再生機器１０６に送信される。これに応答して、録画・再生機器１０６では、図２３のステップ７００，７０２、及び７０４の処理が実行される。
【００８１】
ステップ７０４の内部では、録画・再生機器１０６の動作としては場合により以下の２通りがある。すなわち、（１）指定された番組の録画予約が初めての場合と、（２）２回目以降の場合、とである。
【００８２】
第１の場合、ステップ７０４の内部では、図２４のステップ７４０で予約情報７７０（図２５参照）が予約情報３５０から抽出される。さらにステップ７４２，７４４，７４６の経路を経て予約・録画リスト２２０にこの番組のエントリが作成される。このときの「予約回数」は１となる。
【００８３】
第２の場合、ステップ７４０の内部では、図２４のステップ７４０，７４２，７４６の経路が選択される。その結果、例えば指定された番組の録画予約回数の値が「１」であった場合には「２」となり、「２」であった場合には「３」となり、以下同様である。
【００８４】
いずれの場合も、録画・再生機器１０６はさらに、ステップ７４８及び７５０の処理を実行し、図２６に示す画面を表示して、図２３のステップ７００に戻る。携帯電話１１２では、ステップ２７８及びステップ２８０の処理が実行される。その後、制御は図６のステップ２４０に戻る。ステップ２８０の処理の結果、携帯電話１１２の予約リスト１７０（図４参照）には、予約が完了した番組に対応するエントリが作成される。
【００８５】
例えば、携帯電話１１２の予約リスト１７０が図３５に示すようなものであり、携帯電話１１４の予約リスト１７０に対応する予約リスト９８０が図３６に示すようなものであったものとする。さらに、録画・再生機器１０６の予約・録画リスト２２０の状態が図３７に示すような状態であったものとする。
【００８６】
この状態で、携帯電話１１２での予約操作により、図３８に示すような予約情報１０００が録画・再生機器１０６に送信されてきたものとする。予約情報１０００からは、図３９に示す予約情報１０２０が抽出される。この番組については予約・録画リスト２２０には予約されていない。すると、録画・再生機器１０６は、予約・録画リスト２２０に予約情報１０２０に対応する番組のエントリを新たに作成する。その予約回数の値は「１」となる。その結果、録画・再生機器１０６の予約・録画リスト２２０の状態は図４１に示されるようになる。図４１を図３７と比較すると、２０１０年３月２５日の２１：００から２２：５４に８チャンネルで放送される「スポーツＡ」という番組のエントリが新たに作成されている。その「予約回数」の値は１である。このとき、携帯電話１１２の予約リスト１７０にも、この番組に対応するエントリが作成される。そのときの予約リスト１７０を図４０に示す。図４０に示す予約リスト１７０では、図３５の状態からスポーツＡに対応するエントリが新たに作成されている。
【００８７】
ここで、携帯電話１１４から、図５３の「映画Ｂ」に関する録画予約があったものとする。すると、録画・再生機器１０６では、図２４のステップ７４０，７４２，７４６のルートが選択され、「映画Ｂ」の「予約回数」の欄の値が１加算される。すなわち、図４１の「映画Ｂ」の予約回数の値は１であったが、図４３に示すように、この番組の予約回数が「２」に更新される。携帯電話１１４の予約リスト９８０においても、図４２に示すように、映画Ｂのエントリが新たに追加される。
【００８８】
〈録画予約の削除処理〉
この場合には、携帯電話１１２では、図６のステップ２４０，２４２及び２４６の処理が実行される。さらに、ステップ２４６の内部では、図１１を参照して、ステップ３７０，３７２，３７４及び３７６の処理が実行される。ステップ３７６により、図１４に示す予約削除情報４６０が録画・再生機器１０６に送信される。これに応答して、録画・再生機器１０６では図２３のステップ７００，７０２及び７０６の処理が実行される。
【００８９】
ステップ７０６の内部では、録画・再生機器１０６の動作としては場合により以下の２通りがある。すなわち、（１）録画予約の削除が指定された番組について、「予約回数」の値が１の場合と、（２）「２」以上の場合、とである。
【００９０】
第１の場合、図２７に示すステップ８１０，８１２，８１４の経路が選択される。すなわち、予約・録画リスト２２０から、指定された番組の予約に関するエントリが削除される。一方、第２の場合、図２７に示すステップ８１０，８１２，８１６の経路が選択される。この場合、予約・録画リスト２２０のうち、指定された番組の予約に関するエントリは削除されない。代わりに、その「予約回数」の欄が１減算される。
【００９１】
このときの予約・録画リスト２２０の状態の変化を図４４から図４７を参照して説明する。ここでは、携帯電話１１２において、映画Ｂの予約削除の指示が出されたものとする。このとき、携帯電話１１２から録画・再生機器１０６には例えば、図４４に示す録画予約の削除情報１０４０が送信される。録画・再生機器１０６は、録画予約の削除情報１０４０から図４５に示す録画予約の削除情報１０６０を抽出する。録画・再生機器１０６は、録画予約の削除情報１０６０にも基づいて、予約・録画リスト２２０の「映画Ｂ」の予約録画を取消す処理をする。ただしこのときの処理では、図４３に示されるように「映画Ｂ」の「予約回数」の値は２である。そのため、図２７のステップ８１０，８１２及び８１６の経路が選択される。したがって予約・録画リスト２２０の「映画Ｂ」のエントリは削除されず、単に「予約回数」の値が１減算されるだけである。その状態を図４６に示す。図４６を図４３と比較すると、「映画Ｂ」の「予約回数」の値が「２」から「１」に１だけ減算されていることが分かる。
【００９２】
一方、携帯電話１１２では、録画・再生機器１０６から「映画Ｂ」の予約録画の削除の受付が完了したことを示すメッセージを受取る。したがって図４７に示すように、予約リスト１７０から「映画Ｂ」のエントリを削除する。
【００９３】
〈再生処理〉
再生処理では、携帯電話１１２は図６のステップ２４０，２４２，２４８という経路を選択する。ステップ２４８の内部では、図１５に示すステップ４８０の処理を最初に実行し、録画・再生機器１０６から録画リストを受信するまで待機する。一方、録画・再生機器１０６は、図２３のステップ７００，７０２及び７０８の処理を実行する。ステップ７０８の内部では、図３０に示すステップ８８０の処理を実行する。すなわち予約・録画リスト２２０の中から、サムネイルおよび動画場所の値が空白（ヌル）でないエントリのみを抽出し、録画リストとして携帯電話１１２に送信する。この後、録画・再生機器１０６は、ステップ８８２の処理を実行する。すなわち、携帯電話１１２から番組を特定した再生指示を受信するまで待機する。
【００９４】
一方、録画リストを受信した携帯電話１１２では、図１５のステップ４８４，４８６，４８８及び５００の経路により、ユーザが選択した番組に関する再生指示を録画・再生機器１０６に送信して処理を終了する。この再生指示を受信した録画・再生機器１０６は、図３０のステップ８８４の処理を実行する。すなわち、携帯電話１１２から受信した再生指示により特定される番組のコンテンツデータを記憶部２０４より読出し、データ処理部２０２に与えて再生を開始する。
【００９５】
コンテンツデータの再生が完了すると、録画・再生機器１０６は再び図２３のステップ７００で制御信号の受信を待つ状態に戻る。
【００９６】
〈録画番組消去処理〉
ユーザが録画番組を消去しようとするときには、携帯電話１１２及び録画・再生機器１０６は以下のように動作する。図６を参照して、携帯電話１１２はステップ２４０，２４２，２５０の経路を選択する。ステップ２５０の内部では、携帯電話１１２は図１８のステップ５７０，５７２，５７４、及び５７６の処理を実行する。この結果、携帯電話１１２から録画・再生機器１０６に図２１に示されるような録画消去番組情報６６０が送信される。
【００９７】
この録画消去番組情報６６０を受信した録画・再生機器１０６は以下のように動作する。すなわち、録画・再生機器１０６は、図２３に示すステップ７００，７０２及び７１０の経路を選択して実行する。ステップ７１０の内部では、ステップ９１０，９１２の処理を実行する。ここで録画・再生機器１０６の動作は場合により２通りに分かれる。（１）予約・録画リスト２２０において、消去が指定された番組のエントリの「予約回数」の欄の値が「１」の場合、及び（２）２以上の場合とである。
【００９８】
第１の場合には、録画・再生機器１０６は、図３２のステップ９１２，９１４，９１６の経路を選択する。すなわち、指定された番組のサムネイル及びコンテンツデータを消去し、予約・録画リスト２２０の中の対応するエントリを削除する。第２の場合には、それらを消去することはしない。代わりに、予約・録画リスト２２０の中の、削除が指定された番組に対応するエントリの「予約回数」の値を１減算する。
【００９９】
すなわち、録画・再生機器１０６は、録画番組の消去が指定されたとき、直ちにコンテンツデータなどを消去するわけではない。以上の処理の結果、予約・録画リスト２２０の「予約回数」の値が１以上であればコンテンツデータ及びサムネイルを残し、予約・録画リスト２２０の対応エントリ中の「予約回数」の値を１だけ減算する。もしも消去が指定された番組の予約回数が「１」であれば、予約回数から仮に１を減算すると０となる。こうした場合には、録画・再生機器１０６は、その録画番組のサムネイル及びコンテンツデータを消去し、予約・録画リスト２２０中の対応するエントリも消去する。
【０１００】
以上の処理の具体例を図４８‐図５３を参照して説明する。図４８は、図４６に示されていた録画予約について、全て録画が済んだ状態を示す。図４８において、ニュースＤの「予約回数」が０となっているのは、この番組の録画が何らかの事情により失敗したことを示す。このように予約回数が０となっているエントリについては、何らかのタイミングで予約・録画リスト２２０から消去するか、消去してよいか否かをユーザに確認してから消去するようにすればよい。なお、携帯電話１１２，１１４及び１１６などの各々について録画・再生機器１０６から録画リストを送信するときに、予約回数が０の番組については、各携帯電話で予約リストから削除することが望ましい。
【０１０１】
図４９は、録画・再生機器１０６の予約・録画リスト２２０が図４８に示す状態にあるときの、携帯電話１１２の予約リスト１７０の状態を示す。この状態で、ユーザがドラマＣについて録画消去を携帯電話１１２から録画・再生機器１０６に対して指示したものとする。すると携帯電話１１２から録画・再生機器１０６に対して図５０に示す録画消去情報１０８０が送信される。録画・再生機器１０６は録画消去情報１０８０から図５１に示す録画消去情報１１００を抽出する。録画・再生機器１０６は録画消去情報１１００にしたがい、ドラマＣの録画消去処理を行なう。
【０１０２】
具体的には、図４８に示すように、録画・再生機器１０６の予約回数は「２」となっている。したがってこの場合録画・再生機器１０６は、「ドラマＣ」を直ちには消去しない。録画・再生機器１０６は、予約・録画リスト２２０の「ドラマＣ」の「予約回数」の値を１減算する。その結果得られる予約・録画リスト２２０を図５２に示す。図５２に示すように、ドラマＣの予約回数は、図４８の「２」から「１」に変化している。
【０１０３】
この状態でさらに、携帯電話１１４のユーザがドラマＣの録画消去を指示したものとする。図５０に示す録画消去情報１０８０と同様の情報が携帯電話１１４から録画・再生機器１０６に送信される。録画・再生機器１０６はこの録画消去情報１０８０からも図５１に示される録画消去情報１１００と同様の録画消去情報を抽出する。録画・再生機器１０６はさらに、この録画消去情報にしたがって、ドラマＣの録画消去処理を実行する。ただし今度は、予約・録画リスト２２０において、ドラマＣの「予約回数」の値が「１」となっている。この値から１を減算すると「０」である。したがって録画・再生機器１０６は、予約・録画リスト２２０において単にドラマＣの「予約回数」の値を減算する処理はしない。代わりに録画・再生機器１０６は、記憶部２０４から、ドラマＣのコンテンツデータを消去する。さらに録画・再生機器１０６は、予約・録画リスト２２０からもドラマＣのエントリを消去する。その結果、予約・録画リスト２２０は、図５３に示される状態となる。
【０１０４】
図５３を参照して、上記録画消去処理の結果、予約・録画リスト２２０からはドラマＣのエントリが完全に消去されている。
【０１０５】
以上説明したように、本実施の形態に係る録画予約システム１００によれば、複数の携帯電話から同一の録画・再生機器１０６に対する録画予約、予約取消、再生、録画消去などを指示することができる。録画・再生機器１０６では、全ての携帯電話に対して共通の予約・録画リスト２２０を使用して録画予約などを管理している。録画された番組のコンテンツデータは、記憶部２０４に共通に記憶される。その結果、録画・再生機器１０６では、ユーザごとに別々に録画予約の管理をする場合と比較して記憶容量を削減できる。各携帯電話では、その携帯電話を使用して録画・再生機器１０６に対して指示した録画予約に関する処理のみが可能である。あたかも携帯電話ごとに録画・再生機器１０６が別々に録画予約を管理しているかのような録画予約の管理を行なうことができる。ユーザが自分のＩＤ／ＰＷなどを管理する必要もない。
【０１０６】
上記実施の形態では、各携帯電話ごとに録画予約の管理を行なっている。仮に同一の携帯電話を複数のユーザが共通に利用する場合、それらユーザによる録画予約は互いに混在することになる。しかし、現在では携帯電話は事実上個人に帰属しており、共有されることはまれである。従って、上記実施の形態により、同一の録画・再生機器１０６を使用して、個人別の録画予約の管理を実現することができる。
【０１０７】
録画・再生機器１０６では、録画予約を管理するための従来の情報に加え、番組ごとの予約回数を管理する機能を追加すればよい。個人ごとの認証を行う必要はない。したがって、録画・再生機器１０６の仕組みに大幅な変更を加えることなく、実質的に個人ごとの録画予約の管理を実現できる。１人のユーザによる録画予約が重複しているか否かについては、携帯電話１１２で行えばよい。録画・再生機器１０６では、各ユーザについて録画予約の重複をチェックするような特別な処理は不要である。
【０１０８】
［変形例］
上記実施の形態では、予約・録画リスト２２０が録画予約リストと録画リストとを兼ねている。しかし本発明はそのような実施の形態には限定されない。録画予約リストと録画リストとを別に設けるようにしてもよい。その場合、録画予約が実行され、録画が完了するたびに、録画リストに、予約・録画リスト２２０と同様のフォーマットのレコードを追加すればよい。録画予約については録画予約リストで管理し、録画消去については録画リストで管理する。その処理を実現するためのプログラムは、実質的に上記した本発明の一実施の形態に係るものと同様に実現することができることは当業者には明らかであろう。
【０１０９】
上記実施の形態では、各携帯電話がＥＰＧを取得する能力を有している。しかし本発明はそのような実施の形態には限定されない。録画・再生機器１０６がＥＰＧを取得し、赤外線通信により携帯電話に送信するようにしてもよい。
【０１１０】
上記実施の形態では、録画・再生機器１０６を操作するためのリモートコントローラに相当するものとして、携帯電話を用いている。しかし本発明はそのような実施の形態には限定されない。例えばＰＤＡ（Ｐｅｒｓｏｎａｌ  Ｄｉｇｉｒａｌ  Ａｓｓｉｓｔａｎｔ）でもよいし、パーソナルコンピュータ（ＰＣ）でもよい。また、ＰＤＡと同様の機能を持ち、赤外線通信が可能な電子辞書、電子ブック閲覧装置などを用いても良い。これらについては、さらに携帯電話ネットワーク又はＷｉＦｉによりインターネット上の各種資源にアクセスできる機能をもつものがさらに好ましい。
【０１１１】
上記実施の形態では、放送電波という特定のメディアにより放送されるＴＶ番組を例として説明した。しかし本発明はそのような実施の形態には限定されない。何らかの形で予め定められたスケジュールで特定のメディアを通じて放送されるコンテンツの記録の予約を行なうシステムであれば、どのようなものにも適用できる。録画でなく、録音だけ行なうようなシステムでもよい。
【０１１２】
上記システムでは、録画・再生機器１０６が自己の表示部２１０を使用して録画番組を再生する。しかし本発明はそのような実施の形態には限定されない。例えば録画・再生機器１０６が録画番組の再生指示を受けたときに、自分で再生せずに携帯電話１１２などに再生されたコンテンツを送信するようなシステムでもよい。そうしたシステムでは、入力部１６０には必ずしも表示部２１０のような表示装置は必要でなくなる。これに代えて、再生コマンドとは別にコンテンツデータの送信コマンドを実装するようにしても良い。
【０１１３】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１１４】
１０４  無線ルータ
１０６  録画・再生機器
１１２，１１４，１１６  携帯電話
１３２，１６６  通信部
１３４  制御部
１５０，２０４  記憶部
１６０，２１２  入力部
１７０，９８０  予約リスト
１９２  制御部
１９４  一時記憶部
２００  チューナ
２０２  データ処理部
２１６  リモコン信号受信部
２２０  予約・録画リスト
【図１】
0005571476.tif 000002
【図２】
0005571476.tif 000003
【図３】
0005571476.tif 000004
【図４】
0005571476.tif 000005
【図６】
0005571476.tif 000006
【図７】
0005571476.tif 000007
【図８】
0005571476.tif 000008
【図９】
0005571476.tif 000009
【図１０】
0005571476.tif 000010
【図１１】
0005571476.tif 000011
【図１２】
0005571476.tif 000012
【図１３】
0005571476.tif 000013
【図１４】
0005571476.tif 000014
【図１５】
0005571476.tif 000015
【図１６】
0005571476.tif 000016
【図１７】
0005571476.tif 000017
【図１８】
0005571476.tif 000018
【図１９】
0005571476.tif 000019
【図２０】
0005571476.tif 000020
【図２１】
0005571476.tif 000021
【図２２】
0005571476.tif 000022
【図２３】
0005571476.tif 000023
【図２４】
0005571476.tif 000024
【図２５】
0005571476.tif 000025
【図２６】
0005571476.tif 000026
【図２７】
0005571476.tif 000027
【図２８】
0005571476.tif 000028
【図２９】
0005571476.tif 000029
【図３０】
0005571476.tif 000030
【図３１】
0005571476.tif 000031
【図３２】
0005571476.tif 000032
【図３３】
0005571476.tif 000033
【図３４】
0005571476.tif 000034
【図３５】
0005571476.tif 000035
【図３６】
0005571476.tif 000036
【図３７】
0005571476.tif 000037
【図３９】
0005571476.tif 000038
【図４０】
0005571476.tif 000039
【図４１】
0005571476.tif 000040
【図４２】
0005571476.tif 000041
【図４３】
0005571476.tif 000042
【図４５】
0005571476.tif 000043
【図４６】
0005571476.tif 000044
【図４７】
0005571476.tif 000045
【図４８】
0005571476.tif 000046
【図４９】
0005571476.tif 000047
【図５１】
0005571476.tif 000048
【図５２】
0005571476.tif 000049
【図５３】
0005571476.tif 000050
【図５】
0005571476.tif 000051
【図３８】
0005571476.tif 000052
【図４４】
0005571476.tif 000053
【図５０】
0005571476.tif 000054